(57)【要約】【課題】  自動販売機の前面下部と設置面との間に形成される隙間を容易且つ確実に覆うことができると共に、床面に落下したパチンコ玉の回収作業を容易にする自動販売機の隙間カバーを提供する。【解決手段】  自動販売機５０の前面下部と設置面Ｆとの間に形成される隙間を覆う自動販売機の隙間カバー１であって、自動販売機５０の前面下部に取り付けられる支持体１０と、支持体１０に支持される帯状のガード板２０とを備え、ガード板２０は、永久磁石からなる吸着部２３を下縁部に備えている。【選択図】  図１
0003178604.tif 000002
【実用新案登録請求の範囲】
【請求項１】
自動販売機の前面下部と設置面との間に形成される隙間を覆う自動販売機の隙間カバーであって、
自動販売機の前面下部に取り付けられる支持体と、
前記支持体に支持される帯状のガード板とを備え、
前記ガード板は、永久磁石からなる吸着部を下縁部に備えている自動販売機の隙間カバー。
【請求項２】
前記支持体は、自動販売機の前面から左右の側面に向けてそれぞれ角部を覆うように折り曲げられた一対の曲板と、自動販売機の前面に取り付けられる平板とを備え、
前記平板は、左右両側がそれぞれ前記一対の曲板と重なり合うように配置され、
前記一対の曲板および平板の前面により、前記ガード板が取り付けられる支持面を構成する請求項１に記載の自動販売機の隙間カバー。
【請求項３】
前記一対の曲板および平板は、折曲状に形成された係合部を上部に備えており、
前記係合部は、前扉により開閉される自動販売機本体の内面に係合する請求項２に記載の自動販売機の隙間カバー。
【考案の詳細な説明】
【技術分野】
【０００１】
本考案は、自動販売機の隙間カバーに関し、より詳しくは、パチンコホールに設置される自動販売機の正面下部と設置面との間に形成される隙間を覆う自動販売機の隙間カバーに関する。
【背景技術】
【０００２】
自動販売機は、下面の四隅にそれぞれ設けられたレベリング脚を介して設置面に設置されるのが通常であるため、自動販売機の下部と設置面との間には、レベリング脚の長さに相当する隙間が形成される。この隙間には硬貨などが入り込みやすいため、この隙間を覆う隙間カバーが従来から知られている。例えば、特許文献１には、自動販売機の前面左右の隙間にそれぞれコーナーカバーを装着し、これらコーナーカバーの間に前面カバーを取り付ける構成が開示されている。
【先行技術文献】
【特許文献】
【０００３】
【特許文献１】登録実用新案第３０４８２５８号公報
【考案の概要】
【考案が解決しようとする課題】
【０００４】
自動販売機の設置に際しては、設置面の状況に応じてレベリング脚の高さ調整が適宜行われるため、自動販売機と設置面との間に形成される隙間の高さは必ずしも一定ではない。このため、特許文献１に開示された前面カバーを自動販売機に取り付ける場合、この隙間高さが大きいと、前面カバーの下端と設置面との間に依然として隙間が残るおそれがある一方、この隙間高さが小さいと、前面カバーの下端が設置面に支えるという問題があった。更に、自動販売機の幅には多数のものが存在するため、種々の隙間幅への対応も困難であるという問題があった。
【０００５】
特に、パチンコホールに設置される自動販売機については、落下したパチンコ玉が床面を転がり易いために、自動販売機の隙間をカバーで覆うことのニーズが高いだけでなく、このカバーによってパチンコ玉を収集することができれば、床面に落下したパチンコ玉の回収に便利である。
【０００６】
そこで、本考案は、自動販売機の前面下部と設置面との間に形成される隙間を容易且つ確実に覆うことができると共に、床面に落下したパチンコ玉の回収作業を容易にする自動販売機の隙間カバーの提供を目的とする。
【課題を解決するための手段】
【０００７】
本考案の前記目的は、自動販売機の前面下部と設置面との間に形成される隙間を覆う自動販売機の隙間カバーであって、自動販売機の前面下部に取り付けられる支持体と、前記支持体に支持される帯状のガード板とを備え、前記ガード板は、永久磁石からなる吸着部を下縁部に備えている自動販売機の隙間カバーにより達成される。
【０００８】
この自動販売機の隙間カバーにおいて、前記支持体は、自動販売機の前面から左右の側面に向けてそれぞれ角部を覆うように折り曲げられた一対の曲板と、自動販売機の前面に取り付けられる平板とを備えることが好ましい。前記平板は、左右両側がそれぞれ前記一対の曲板と重なり合うように配置可能であり、前記一対の曲板および平板の前面により、前記ガード板が取り付けられる支持面を構成することができる。
【０００９】
また、前記一対の曲板および平板は、折曲状に形成された係合部を上部に備えることが好ましい。前記係合部は、前扉により開閉される自動販売機本体の内面に係合可能である。
【考案の効果】
【００１０】
本考案によれば、自動販売機の前面下部と設置面との間に形成される隙間を容易且つ確実に覆うことができると共に、床面に落下したパチンコ玉の回収作業を容易にする自動販売機の隙間カバーを提供することができる。
【図面の簡単な説明】
【００１１】
【図１】本考案の一実施形態に係る自動販売機の隙間カバーを自動販売機に取り付けた状態を示す正面図である。
【図２】上記隙間カバーの要部を示す平面図および正面図である。
【図３】上記隙間カバーの他の要部を示す平面図および正面図である。
【図４】上記隙間カバーの更に他の要部を示す平面図および正面図である。
【図５】上記隙間カバーの更に他の要部を示す正面図である。
【図６】上記隙間カバーが取り付けられる自動販売機の要部斜視図である。
【図７】自動販売機に対する上記隙間カバーの取付方法を説明するための要部正面図である。
【考案を実施するための形態】
【００１２】
以下、本考案の一実施形態について添付図面を参照しつつ説明する。図１は、本考案の一実施形態に係る自動販売機の隙間カバーを自動販売機に取り付けた状態を示す正面図である。図１に示すように、隙間カバー１は、自動販売機５０の前面下部と設置面Ｆとの間に形成される隙間を覆うように配置され、支持体１０と、下縁部に吸着部２３が設けられたガード板２０とを備えている。隙間カバー１は、種々の場所に設置される自動販売機５０に取り付けることができ、特に、パチンコホール内に設置される自動販売機５０に好適に使用することができる。自動販売機５０は、開閉可能な前扉に、飲料缶、ペットボトル、タバコ、菓子、プリペイドカード等の商品陳列パネルを備える公知の構成であり、下面四隅に配置されたレベリング脚（図１では図示せず）を介して床面Ｆに設置される。なお、隙間カバー１の色は自動販売機５０の色と同じであることが好ましく、隙間カバー１の存在を目立ち難くすることができる。
【００１３】
支持体１０は、一対の曲板１１，１２および平板１３を備えており、一対の曲板１１，１２が自動販売機５０の前面左右の角部にそれぞれ配置され、平板１３が一対の曲板１１，１２間に配置される。一対の曲板１１，１２および平板１３は、金属等の磁性体や樹脂材料などから形成される帯状の部材である。
【００１４】
図２は、一方の曲板１１の（ａ）平面図および（ｂ）正面図である。図２に示すように、一方の曲板１１は、本体１１ａの長手方向一方側に、略直角に折り曲げられた折曲部１１ｂを有している。また、本体１１ａの上部には水平に折り曲げられた係合部１１ｃが形成されている。本体１１ａおよび折曲部１１ｂの裏面側には、自動販売機５０に取り付けるための取付部１１ｄ，１１ｅが設けられている。折曲部１１ｂおよび係合部１１ｃは、薄板を折り曲げて予め成形することができ、あるいは、フィルム状のものを自動販売機５０に沿って取付時に折り曲げて形成することができる。
【００１５】
取付部１１ｄ，１１ｅは、自動販売機５０のへの着脱を容易にするため、自動販売機５０の表面に吸着するマグネットシート等の永久磁石が好適であるが、必ずしもこれに限定されず、両面粘着テープや面ファスナー等を用いることもできる。また、取付部１１ｄの位置は、本体１１ａの裏面側に設ける代わりに（あるいは本体１１ａの裏面側に設けると共に）、係合部１１ｃの下面側に設けてもよい。
【００１６】
図３は、他方の曲板１２の（ａ）平面図および（ｂ）正面図である。図３に示すように、他方の曲板１２は、一方の曲板１１と同様、本体１２ａの長手方向一方側に折曲部１２ｂを有しており、本体１２ａの上部には係合部１２ｃが形成されている。本体１２ａおよび折曲部１２ｂの裏面側には、取付部１２ｄ，１２ｅが設けられている。係合部１２ｃには、自動販売機５０への取付時にローラ受け５５（図６参照）との干渉を避けるため、切欠き１２ｆが形成されている。
【００１７】
図４は、平板１３の（ａ）平面図および（ｂ）正面図である。図４に示すように、本体１３ａの高さ（帯幅）が、一対の曲板１１，１２の高さ（帯幅）と同じになるように形成されており、本体１３ａの上部には水平に折り曲げられた係合部１３ｃが形成されている。本体１３ａの裏面側には、一対の曲板１１，１２と同様、マグネットシート等からなる取付部１３ｄが設けられている。この取付部１３ｄについても、係合部１３ｃの下面側に設けることが可能である。
【００１８】
図５は、ガード板２０の正面図である。ガード板２０は、樹脂シートやフィルム等からなる帯状の本体２１の裏面側に、支持体１０への取付部２２を有しており、永久磁石からなる吸着部２３を本体２１の下縁部に備えている。取付部２２は、本実施形態においては両面粘着テープからなり、剥離紙を剥がして支持体１０の前面からなる支持面に取り付け可能に構成しているが、支持面の任意の位置に取り付け可能であればよく、例えば、支持体１０が磁性体からなる場合には、マグネットシートからなる取付部２２とすることも可能である。
【００１９】
吸着部２３は、パチンコ玉を吸着保持できる程度の高さ（例えば、１０〜２０ｍｍ程度）を有することが好ましく、例えばマグネットシートにより長手方向全体にわたって形成することができる。吸着部２３は、幅が短い硬質磁石を、長手方向に沿って間隔をあけて複数配置して形成することもできる。
【００２０】
上記構成を備える隙間カバー１は、自動販売機５０の前面下部に取り付けることが可能である。図６に要部斜視図で示すように、自動販売機５０は、自動販売機本体５１が、底面四隅に配置されたレベリング脚５２を介して設置面に設置され、自動販売機本体５１の前面開口が前扉５３により開閉される。前扉５３は、自動販売機本体５１に回動自在に支持されており、図６に示す状態から前扉５３を矢示方向に回動させると、前扉５３の下部に設けられたローラ５４が、自動販売機本体５１の開口内面５１ａに設けられたローラ受け５５に乗り上げて前扉５３の自重による傾きが解消され、前扉５３をスムーズに閉じることができる。
【００２１】
上記の構成を備える自動販売機５０に対して、隙間カバー１の支持体１０を構成する一対の曲板１１，１２および平板１３は、それぞれの係合部１１ｃ，１２ｃ，１３ｃを自動販売機本体５１の開口内面５１ａに係合させると共に、それぞれの本体１１ａ，１２ａ，１３ａの取付部１１ｄ，１２ｄ，１３ｄを自動販売機本体５１の開口端面５１ｂに密着させることにより、自動販売機５０に取り付けることができる。なお、後述するように、自動販売機５０に対する支持体１０の取付けは、前扉５３を閉じた状態で行うことが可能である。
【００２２】
隙間カバー１を自動販売機５０に取り付ける方法を、図７を参照して説明する。図７（ａ）に示すように、自動販売機５０は、レベリング脚５２，５２によって設置面Ｆとの間に隙間をあけた状態で設置され、前扉５３を閉じた状態において、自動販売機本体の開口内面５１ａと前扉５３の下部との間には、若干の隙間（開口隙間）が形成されている。
【００２３】
まず、図７（ｂ）に示すように、一対の曲板１１，１２を、それぞれの係合部１１ｃ，１２ｃが上記の開口隙間に挿入されるように、自動販売機５０の前面左右に取り付ける。一対の曲板１１，１２の左右方向の位置決めは、それぞれの折曲部１１ｂ，１２ｂが自動販売機５０の側面に当接することにより行われ、一対の曲板１１，１２は、自動販売機５０の前面から左右の側面に向けてそれぞれ角部を覆うように固定される。他方の曲板１２において、ローラ受け５５に対応する位置には切欠部１２ｆが形成されているため、他方の曲板１２とローラ受け５５との干渉を防止することができる。
【００２４】
ついで、図７（ｃ）に示すように、平板１３を、係合部１３ｃが上記の開口隙間に挿入されるように、自動販売機５０の前面に取り付ける。自動販売機５０の大きさや形状には多数のものが存在し、それぞれ幅が異なるため、一対の曲板１１，１２間に形成される間隙の幅は、取り付ける自動販売機５０によって異なる。このため、平板１３の取付けは、左右両側が一対の曲板１１，１２と重なり合うように配置して行われ、この重ね代の幅を調整することで、種々の幅を有する自動販売機５０への対応が可能になる。なお、一対の曲板１１，１２の係合部１１ｃ，１２ｃは、平板１３を取り付ける際に平板１３の係合部１３ｃと干渉しないことが好ましく、平板１３の重ね代を考慮して、本体１１ａ，１２ａに対する係合部１１ｃ，１２ｃの位置や幅を適宜定めることが好ましい。
【００２５】
こうして、一対の曲板１１，１２および平板１３からなる支持体１０が構成され、この支持体１０の前面（すなわち、本体１１ａ，１２ａ，１３ａの前面）によって、ガード板２０を支持するための支持面１４が構成される。そして、図７（ｄ）に示すように、この支持面１４に対してガード板２０を取り付けることにより、隙間カバー１が完成する。ガード板２０は、支持面１４の水平方向全体を覆う長さであることが好ましく、適宜の長さに切断する等して取り付けることができる。支持面１４に対するガード板２０の高さ位置は、ガード板２０下端が設置面Ｆに当接する位置であることが好ましい。
【００２６】
このように、ガード板２０を、支持体１０を介して自動販売機５０に取り付ける構成にすることで、ガード板２０を自動販売機５０に直接取り付ける構成と比較して、ガード板２０の十分な高さ調整代を確保することができる。したがって、自動販売機５０と設置面Ｆとの間に形成される隙間の高さに拘わらず、この隙間を確実に閉鎖することができる。更に、設置面Ｆを転がるパチンコ玉などの磁性体を、吸着部２３により確実に吸着することができるので、パチンコホールの床面に落下したパチンコ玉の回収作業を容易にすることができる。ガード板２０の高さ（帯幅）は、少なくとも自動販売機本体の開口端面５１ｂの高さ（上下方向の幅）よりも大きくする必要があるが、大きすぎると自動販売機５０への取り付け時にガード板２０の下端が設置面Ｆに支えるおそれがあることから、例えば、７０〜８０ｍｍ程度に設定することが好ましい。
【００２７】
本実施形態の隙間カバー１は、主として自動販売機５０の前面に形成される隙間を覆うのに使用される。自動販売機５０の側面の隙間については、本実施形態のガード板２０と同様の構成からなる帯状の側面カバーを使用して、閉鎖することができる。このとき、隙間カバー１のガード板２０を、一対の曲板１１，１２の折曲部１１ｂ，１２ｂまで覆う長さに設定し、上記側面カバーの端部がガード板２０に重なるように自動販売機５０にマグネットシート等で取り付けることで、ガード板２０と側面カバーとの間を磁力により確実に閉鎖することができる。自動販売機５０の側面は、通常は上下方向の全体が平坦であり、側面カバーを任意の高さ位置に取り付け可能であるため、側面カバーの高さ（帯幅）を、ガード板２０の高さ（帯幅）よりも大きく設定することで、自動販売機５０の前面の隙間だけでなく、側面の隙間も確実に閉鎖することができる。
【符号の説明】
【００２８】
１  隙間カバー
１０  支持体
１１，１２  曲板
１３  平板
１１ｃ，１２ｃ，１３ｃ  係合部
１４  支持面
２０  ガード板
２３  吸着部
５０  自動販売機
５１  自動販売機本体
５２  レベリング脚
５３  前扉
Ｆ  設置面
【図１】
0003178604.tif 000003
【図２】
0003178604.tif 000004
【図３】
0003178604.tif 000005
【図４】
0003178604.tif 000006
【図５】
0003178604.tif 000007
【図６】
0003178604.tif 000008
【図７】
0003178604.tif 000009